(57)【特許請求の範囲】
【請求項１】
一対の基板間に電気光学物質層を挟持してなり、複数の画素が配列された表示部と、前記表示部を駆動制御する制御部と、前記画素ごとに設けられた複数の画素電極と、前記画素電極との間で電位差を生じさせる対向電極と、を備えた電気光学装置であって、
前記制御部は、
前記表示部の一部又は全部を単一階調表示させるに際して、
第１の階調以外の階調で表示された前記画素からなる第１の画素群の前記画素電極を選択的に駆動することで該駆動した前記画素電極と前記対向電極間に生じた電位差により前記第１の画素群に属する前記画素を前記第１の階調に移行させる第１の消去動作と、
前記第１の画素群からなる領域の輪郭に位置する前記画素と、前記第１の画素群からなる領域に隣り合って配置され前記領域を取り囲む複数の前記画素とを含み、前記第１の画素群からなる領域の輪郭線を挟んで隣り合う少なくとも２つの前記画素の集合である第２の画素群の前記画素電極を選択的に駆動することで該駆動した前記画素電極と前記対向電極間に生じた電位差により前記第２の画素群に属する前記画素を前記第１の階調に移行させる第２の消去動作と、
を実行することを特徴とする電気光学装置。
【請求項２】
一対の基板間に電気光学物質層を挟持してなり、複数の画素が配列された表示部と、前記表示部を駆動制御する制御部と、前記画素ごとに設けられた複数の画素電極と、前記画素電極との間で電位差を生じさせる対向電極と、を備えた電気光学装置であって、
前記制御部は、
前記表示部の一部又は全部を単一階調表示させるに際して、
第１の階調以外の階調で表示された前記画素からなる第１の画素群の前記画素電極を選択的に駆動することで該駆動した前記画素電極と前記対向電極間に生じた電位差により前記第１の画素群に属する前記画素を前記第１の階調に移行させる第１の消去動作と、
前記第１の画素群に属する前記画素と、前記第１の画素群からなる領域に隣り合って配置され前記領域を取り囲む前記画素とを含み、前記第１の画素群からなる領域を１画素分外側に拡張した領域である第２の画素群を選択的に駆動することで該駆動した前記画素電極と前記対向電極間に生じた電位差により前記第２の画素群に属する前記画素を前記第１の階調に移行させる第２の消去動作と、
を実行することを特徴とする電気光学装置。
【請求項３】
前記表示部に、互いに交差する方向に延びる複数の走査線及び複数のデータ線が形成され、前記複数の画素は、前記複数の走査線と前記複数のデータ線との交差に対応する位置に設けられ、
前記複数の走査線を逐次的に１回選択する期間を１フレームとした場合に、前記制御部は、前記第１の消去動作を複数フレームにわたって実行する一方、前記第２の消去動作を前記第１の消去動作よりも少ないフレーム数で実行することを特徴とする請求項１又は２に記載の電気光学装置。
【請求項４】
前記第２の消去動作において前記画素の前記電気光学物質層に印加される電圧が、前記第１の消去動作において前記画素の前記電気光学物質層に印加される電圧よりも低いことを特徴とする請求項１から３のいずれか１項に記載の電気光学装置。
【請求項５】
一対の基板間に電気光学物質層を挟持してなり、複数の画素が配列された表示部と、前記画素ごとに設けられた複数の画素電極と、前記画素電極との間で電位差を生じさせる対向電極と、を備えた電気光学装置の駆動方法であって、
前記表示部の一部又は全部を単一階調表示させるステップが、
第１の階調以外の階調で表示された前記画素からなる第１の画素群の前記画素電極を選択的に駆動することで該駆動した前記画素電極と前記対向電極間に生じた電位差により前記第１の画素群に属する前記画素を前記第１の階調に移行させる第１の消去ステップと、
前記第１の画素群からなる領域の輪郭に位置する前記画素と、前記第１の画素群からなる領域に隣り合って配置され前記領域を取り囲む複数の前記画素とを含み、前記第１の画素群からなる領域の輪郭線を挟んで隣り合う少なくとも２つの前記画素の集合である第２の画素群の前記画素電極を選択的に駆動することで該駆動した前記画素電極と前記対向電極間に生じた電位差により前記第２の画素群に属する前記画素を前記第１の階調に移行させる第２の消去ステップと、
を含むことを特徴とする電気光学装置の駆動方法。
【請求項６】
一対の基板間に電気光学物質層を挟持してなり、複数の画素が配列された表示部と、前記画素ごとに設けられた複数の画素電極と、前記画素電極との間で電位差を生じさせる対向電極と、を備えた電気光学装置の駆動方法であって、
前記表示部の一部又は全部を単一階調表示させるステップが、
第１の階調以外の階調で表示された前記画素からなる第１の画素群の前記画素電極を選択的に駆動することで該駆動した前記画素電極と前記対向電極間に生じた電位差により前記第１の画素群に属する前記画素を前記第１の階調に移行させる第１の消去ステップと、
前記第１の画素群に属する画素と、前記第１の画素群からなる領域に隣り合って配置され前記領域を取り囲む前記画素とを含み、前記第１の画素群からなる領域を１画素分外側に拡張した領域である第２の画素群を選択的に駆動することで該駆動した前記画素電極と前記対向電極間に生じた電位差により前記第２の画素群に属する前記画素を前記第１の階調に移行させる第２の消去ステップと、
を含むことを特徴とする電気光学装置の駆動方法。
【請求項７】
前記第１の消去ステップにおいて、前記画素に同一の画像信号を複数回書き込む一方、前記第２の消去ステップでは、前記画素への書込回数が前記第１の消去ステップにおける前記書込回数よりも少ないことを特徴とする請求項５又は６に記載の電気光学装置の駆動方法。
【請求項８】
前記第２の消去ステップにおいて前記画素の前記電気光学物質層に印加される電圧が、前記第１の消去ステップにおいて前記画素の前記電気光学物質層に印加される電圧よりも低いことを特徴とする請求項５から７のいずれか１項に記載の電気光学装置の駆動方法。
【請求項９】
一対の基板間に電気光学物質層を挟持してなり、複数の画素が配列された表示部と、前記画素ごとに設けられた複数の画素電極と、前記画素電極との間で電位差を生じさせる対向電極と、を備えた電気光学装置の制御回路であって、
前記表示部の一部又は全部を単一階調表示させるに際して、
第１の階調以外の階調で表示された前記画素からなる第１の画素群の前記画素電極を選択的に駆動することで該駆動した前記画素電極と前記対向電極間に生じた電位差により前記第１の画素群に属する前記画素を前記第１の階調に移行させる第１の消去動作と、
前記第１の画素群からなる領域の輪郭に位置する前記画素と、前記第１の画素群からなる領域に隣り合って配置され前記領域を取り囲む複数の前記画素とを含み、前記第１の画素群からなる領域の輪郭線を挟んで隣り合う少なくとも２つの前記画素の集合である第２の画素群の前記画素電極を選択的に駆動することで該駆動した前記画素電極と前記対向電極間に生じた電位差により前記第２の画素群に属する前記画素を前記第１の階調に移行させる第２の消去動作と、
を実行することを特徴とする制御回路。
【請求項１０】
前記表示部に転送する画像信号を生成する画像信号生成回路を備えており、
前記画像信号生成回路は、前記第１の消去動作で用いる画像信号を生成する第１の画像処理回路と、前記第２の消去動作で用いる画像信号を生成する第２の画像処理回路とを有し、
前記第１の画像処理回路は、前記表示部に表示されている画像に対応する画像データを反転出力する回路を有しており、
前記第２の画像処理回路は、
前記画像データのうち処理対象の画素データと、処理対象の前記画素データに隣り合う複数の画素データとを保持する画素データ保持部と、
前記画素データ保持部から複数の前記画素データの入力を受け、複数の前記画素データのうち１つでも前記第１の階調以外の第２の階調に対応する値であるときに処理対象の前記画素データを前記第２の階調に対応する値に変更して出力する膨張処理回路と、
前記画素データ保持部から複数の前記画素データの入力を受け、複数の前記画素データのうち１つでも前記第１の階調に対応する値であるときに処理対象の前記画素データを前記第１の階調に対応する値に変更して出力する収縮処理回路と、
前記膨張処理回路の出力信号と前記収縮処理回路の出力信号との否定排他的論理和を出力する回路と、を有する
ことを特徴とする請求項９に記載の制御回路。
【請求項１１】
一対の基板間に電気光学物質層を挟持してなり、複数の画素が配列された表示部と、前記画素ごとに設けられた複数の画素電極と、前記画素電極との間で電位差を生じさせる対向電極と、を備えた電気光学装置の制御回路であって、
前記表示部の一部又は全部を単一階調表示させるに際して、
第１の階調以外の階調で表示された前記画素からなる第１の画素群の前記画素電極を選択的に駆動することで該駆動した前記画素電極と前記対向電極間に生じた電位差により前記第１の画素群に属する前記画素を前記第１の階調に移行させる第１の消去動作と、
前記第１の画素群と、第１の画素群からなる領域に隣り合って配置され前記領域を取り囲む前記画素とを含み、前記第１の画素群からなる領域を１画素分外側に拡張した領域である第２の画素群を選択的に駆動することで該駆動した前記画素電極と前記対向電極間に生じた電位差により前記第２の画素群に属する前記画素を前記第１の階調に移行させる第２の消去動作と、
を実行することを特徴とする制御回路。
【請求項１２】
前記表示部に転送する画像信号を生成する画像信号生成回路を備えており、
前記画像信号生成回路は、前記第１の消去動作で用いる画像信号を生成する第１の画像処理回路と、前記第２の消去動作で用いる画像信号を生成する第２の画像処理回路とを有し、
前記第１の画像処理回路は、前記表示部に表示されている画像に対応する画像データを反転出力する回路を有しており、
前記第２の画像処理回路は、前記画像データのうち処理対象の画素データと、処理対象の前記画素データに隣り合う複数の画素データとを保持する画素データ保持部と、前記画素データ保持部から複数の前記画素データの入力を受け、複数の前記画素データのうち１つでも前記第１の階調以外の第２の階調に対応する値であるときに処理対象の前記画素データを前記第２の階調に対応する値に変更して出力する膨張処理回路と、前記膨張処理回路の出力信号を反転出力する回路と、を有する
ことを特徴とする請求項１１に記載の制御回路。
【請求項１３】
請求項１から４のいずれか１項に記載の電気光学装置を備えたことを特徴とする電子機器。
【発明の詳細な説明】
【技術分野】
【０００１】
本発明は、電気光学装置、電気光学装置の駆動方法、電気光学装置の制御回路、電子機器に関するものである。
【背景技術】
【０００２】
電気光学装置として、電気泳動素子や電子粉粒素子などの記憶性表示素子を用いたものが知られている。この種の電気光学装置では、表示素子の記憶性を利用した駆動方法を用いることが可能であった。例えば特許文献１記載の駆動方法は、表示部の全面を白表示に移行させる場合に、前画像において黒表示された画素のみを駆動して白表示に移行させることで残像の防止を図ったものであった。
【先行技術文献】
【特許文献】
【０００３】
【特許文献１】特開２００７−２０６２６７号公報
【発明の概要】
【発明が解決しようとする課題】
【０００４】
しかし、表示部の黒表示の画素のみを選択的に駆動する方法を用いて全面白表示を行うと、黒表示されていた領域の輪郭近傍における消去が不十分になり、残像が発生するという問題があった。
【０００５】
本発明は、上記従来技術の問題点に鑑み成されたものであって、残像が低減された高品質の表示を得ることができる電気光学装置とその駆動方法、及び制御回路を提供することを目的の一つとする。
【課題を解決するための手段】
【０００６】
本発明の電気光学装置は、一対の基板間に電気光学物質層を挟持してなり、複数の画素が配列された表示部と、前記表示部を駆動制御する制御部と、前記画素ごとに設けられた複数の画素電極と、前記画素電極との間で電位差を生じさせる対向電極と、を備えた電気光学装置であって、前記制御部は、前記表示部の一部又は全部を単一階調表示させるに際して、第１の階調以外の階調で表示された前記画素からなる第１の画素群の前記画素電極を選択的に駆動することで該駆動した前記画素電極と前記対向電極間に生じた電位差により前記第１の画素群に属する前記画素を前記第１の階調に移行させる第１の消去動作と、前記第１の画素群からなる領域の輪郭に位置する前記画素と、前記第１の画素群からなる領域に隣り合って配置され前記領域を取り囲む複数の前記画素とを含み、前記第１の画素群からなる領域の輪郭線を挟んで隣り合う少なくとも２つの前記画素の集合である第２の画素群の前記画素電極を選択的に駆動することで該駆動した前記画素電極と前記対向電極間に生じた電位差により前記第２の画素群に属する前記画素を前記第１の階調に移行させる第２の消去動作と、を実行することを特徴とする。
【０００７】
この構成によれば、第１の階調以外の階調で表示された第１の画素群のみを選択的に駆動する第１の消去動作に加えて、第１の画素群からなる領域の輪郭近傍に対応する部分のみを再度消去する第２の消去動作を設けたことで、第１の画素群からなる領域の選択消去によって生じる残像を確実に消去することができる。したがって、残像が低減された高品質の表示を得ることができる。
【０００８】
前記第２の画素群が、前記第１の画素群からなる領域の輪郭線を挟んで隣り合う２つの前記画素の集合であることも好ましい。
この構成によれば、第１の画素群からなる領域を選択的に消去したときに生じる残像を含んだ領域を第２の消去動作において消去するので、残像を確実に消去することができる。
【０００９】
本発明の電気光学装置は、一対の基板間に電気光学物質層を挟持してなり、複数の画素が配列された表示部と、前記表示部を駆動制御する制御部と、前記画素ごとに設けられた複数の画素電極と、前記画素電極との間で電位差を生じさせる対向電極と、を備えた電気光学装置であって、前記制御部は、前記表示部の一部又は全部を単一階調表示させるに際して、第１の階調以外の階調で表示された前記画素からなる第１の画素群の前記画素電極を選択的に駆動することで該駆動した前記画素電極と前記対向電極間に生じた電位差により前記第１の画素群に属する前記画素を前記第１の階調に移行させる第１の消去動作と、前記第１の画素群に属する前記画素と、前記第１の画素群からなる領域に隣り合って配置され前記領域を取り囲む前記画素とを含み、前記第１の画素群からなる領域を１画素分外側に拡張した領域である第２の画素群を選択的に駆動することで該駆動した前記画素電極と前記対向電極間に生じた電位差により前記第２の画素群に属する前記画素を前記第１の階調に移行させる第２の消去動作と、を実行することを特徴とする。
【００１０】
この構成によれば、第１の階調以外の階調で表示された第１の画素群のみを選択的に駆動する第１の消去動作に加えて、第１の画素群からなる領域の輪郭のやや外側まで含んだ部分を再度消去する第２の消去動作を設けたことで、第１の画素群からなる領域の選択消去によって生じる残像を確実に消去することができる。したがって、残像が低減された高品質の表示を得ることができる。
【００１１】
前記第２の画素群が、前記第１の画素群からなる領域を１画素分外側に拡張した領域であることも好ましい。
この構成によれば、第１の画素群からなる領域を選択的に消去したときに生じる残像を含んだ領域を第２の消去動作において消去するので、残像を確実に消去することができる。
【００１２】
前記表示部に、互いに交差する方向に延びる複数の走査線及び複数のデータ線が形成され、前記複数の画素は、前記複数の走査線と前記複数のデータ線との交差に対応する位置に設けられ、前記複数の走査線を逐次的に１回選択する期間を１フレームとした場合に、前記制御部は、前記第１の消去動作を複数フレームにわたって実行する一方、前記第２の消去動作を前記第１の消去動作よりも少ないフレーム数で実行する構成としてもよい。
この構成によれば、第１及び第２の消去動作の実行時間をフレーム単位で調整するので、残像の消去に必要十分な実行時間（電気光学物質層の駆動時間）を設定することができ、確実に残像を消去することができる。しかも、第２の消去動作を短くしているため、第２の消去動作の実行に伴う過書き込みや電流バランスの問題を回避しつつ残像を消去することができる。
【００１３】
前記第２の消去動作において前記画素の前記電気光学物質層に印加される電圧が、前記第１の消去動作において前記画素の前記電気光学物質層に印加される電圧よりも低い構成としてもよい。
この構成の場合にも、上記フレーム数で調整した場合と同様の作用効果を得ることができる。
【００１４】
本発明の電気光学装置の駆動方法は、一対の基板間に電気光学物質層を挟持してなり、複数の画素が配列された表示部と、前記画素ごとに設けられた複数の画素電極と、前記画素電極との間で電位差を生じさせる対向電極と、を備えた電気光学装置の駆動方法であって、前記表示部の一部又は全部を単一階調表示させるステップが、第１の階調以外の階調で表示された前記画素からなる第１の画素群の前記画素電極を選択的に駆動することで該駆動した前記画素電極と前記対向電極間に生じた電位差により前記第１の画素群に属する前記画素を前記第１の階調に移行させる第１の消去ステップと、前記第１の画素群からなる領域の輪郭に位置する前記画素と、前記第１の画素群からなる領域に隣り合って配置され前記領域を取り囲む複数の前記画素とを含み、前記第１の画素群からなる領域の輪郭線を挟んで隣り合う少なくとも２つの前記画素の集合である第２の画素群の前記画素電極を選択的に駆動することで該駆動した前記画素電極と前記対向電極間に生じた電位差により前記第２の画素群に属する前記画素を前記第１の階調に移行させる第２の消去ステップと、を含むことを特徴とする。
【００１５】
この駆動方法によれば、第１の階調以外の階調で表示された第１の画素群のみを選択的に駆動する第１の消去ステップに加えて、第１の画素群からなる領域の輪郭近傍に対応する部分のみを再度消去する第２の消去ステップを設けたことで、第１の画素群からなる領域の選択消去によって生じる残像を確実に消去することができる。したがって、残像が低減された高品質の表示を得ることができる。
【００１６】
本発明の電気光学装置の駆動方法は、一対の基板間に電気光学物質層を挟持してなり、複数の画素が配列された表示部と、前記画素ごとに設けられた複数の画素電極と、前記画素電極との間で電位差を生じさせる対向電極と、を備えた電気光学装置の駆動方法であって、前記表示部の一部又は全部を単一階調表示させるステップが、第１の階調以外の階調で表示された前記画素からなる第１の画素群の前記画素電極を選択的に駆動することで該駆動した前記画素電極と前記対向電極間に生じた電位差により前記第１の画素群に属する前記画素を前記第１の階調に移行させる第１の消去ステップと、前記第１の画素群に属する画素と、前記第１の画素群からなる領域に隣り合って配置され前記領域を取り囲む前記画素とを含み、前記第１の画素群からなる領域を１画素分外側に拡張した領域である第２の画素群を選択的に駆動することで該駆動した前記画素電極と前記対向電極間に生じた電位差により前記第２の画素群に属する前記画素を前記第１の階調に移行させる第２の消去ステップと、を含むことを特徴とする。
【００１７】
この駆動方法によれば、第１の階調以外の階調で表示された第１の画素群のみを選択的に駆動する第１の消去ステップに加えて、第１の画素群からなる領域の輪郭のやや外側まで含んだ部分を再度消去する第２の消去ステップを設けたことで、第１の画素群からなる領域の選択消去によって生じる残像を確実に消去することができる。したがって、残像が低減された高品質の表示を得ることができる。
【００１８】
前記第１の消去ステップにおいて、前記画素に同一の画像信号を複数回書き込む一方、前記第２の消去ステップでは、前記画素への書込回数が前記第１の消去ステップにおける前記書込回数よりも少ない駆動方法としてもよい。
この駆動方法によれば、第１及び第２の消去ステップの実行時間をフレーム単位で調整するので、残像の消去に必要十分な実行時間（電気光学物質層の駆動時間）を設定することができ、確実に残像を消去することができる。しかも、第２の消去ステップを短くしているため、第２の消去ステップの実行に伴う過書き込みや電流バランスの問題を回避しつつ残像を消去することができる。
【００１９】
前記第２の消去ステップにおいて前記画素の前記電気光学物質層に印加される電圧が、前記第１の消去ステップにおいて前記画素の前記電気光学物質層に印加される電圧よりも低い駆動方法としてもよい。
この駆動方法によっても、上記フレーム数で調整した場合と同様の作用効果を得ることができる。
【００２０】
本発明の電気光学装置の制御回路は、一対の基板間に電気光学物質層を挟持してなり、複数の画素が配列された表示部と、前記画素ごとに設けられた複数の画素電極と、前記画素電極との間で電位差を生じさせる対向電極と、を備えた電気光学装置の制御回路であって、前記表示部の一部又は全部を単一階調表示させるに際して、第１の階調以外の階調で表示された前記画素からなる第１の画素群の前記画素電極を選択的に駆動することで該駆動した前記画素電極と前記対向電極間に生じた電位差により前記第１の画素群に属する前記画素を前記第１の階調に移行させる第１の消去動作と、前記第１の画素群からなる領域の輪郭に位置する前記画素と、前記第１の画素群からなる領域に隣り合って配置され前記領域を取り囲む複数の前記画素とを含み、前記第１の画素群からなる領域の輪郭線を挟んで隣り合う少なくとも２つの前記画素の集合である第２の画素群の前記画素電極を選択的に駆動することで該駆動した前記画素電極と前記対向電極間に生じた電位差により前記第２の画素群に属する前記画素を前記第１の階調に移行させる第２の消去動作と、を実行することを特徴とする。
【００２１】
この電気光学装置の制御回路によれば、第１の階調以外の階調で表示された第１の画素群のみを選択的に駆動する第１の消去動作に加えて、第１の画素群からなる領域の輪郭近傍に対応する部分のみを再度消去する第２の消去動作を実行するので、第１の画素群からなる領域の選択消去によって生じる残像を確実に消去することができる。したがって、残像が低減された高品質の表示を得ることができる。
【００２２】
前記表示部に転送する画像信号を生成する画像信号生成回路を備えており、前記画像信号生成回路は、前記第１の消去動作で用いる画像信号を生成する第１の画像処理回路と、前記第２の消去動作で用いる画像信号を生成する第２の画像処理回路とを有し、前記第１の画像処理回路は、前記表示部に表示されている画像に対応する画像データを反転出力する回路を有しており、前記第２の画像処理回路は、前記画像データのうち処理対象の画素データと、処理対象の前記画素データに隣り合う複数の画素データとを保持する画素データ保持部と、前記画素データ保持部から複数の前記画素データの入力を受け、複数の前記画素データのうち１つでも前記第１の階調以外の第２の階調に対応する値であるときに処理対象の前記画素データを前記第２の階調に対応する値に変更して出力する膨張処理回路と、前記画素データ保持部から複数の前記画素データの入力を受け、複数の前記画素データのうち１つでも前記第１の階調に対応する値であるときに処理対象の前記画素データを前記第１の階調に対応する値に変更して出力する収縮処理回路と、前記膨張処理回路の出力信号の反転信号と、前記膨張処理回路の出力信号と前記収縮処理回路の出力信号との否定排他的論理和の信号とを切り替えて出力する選択回路と、を有する構成としてもよい。
【００２３】
本発明の電気光学装置の制御回路は、一対の基板間に電気光学物質層を挟持してなり、複数の画素が配列された表示部と、前記画素ごとに設けられた複数の画素電極と、前記画素電極との間で電位差を生じさせる対向電極と、を備えた電気光学装置の制御回路であって、前記表示部の一部又は全部を単一階調表示させるに際して、第１の階調以外の階調で表示された前記画素からなる第１の画素群の前記画素電極を選択的に駆動することで該駆動した前記画素電極と前記対向電極間に生じた電位差により前記第１の画素群に属する前記画素を前記第１の階調に移行させる第１の消去動作と、前記第１の画素群と、第１の画素群からなる領域に隣り合って配置され前記領域を取り囲む前記画素とを含み、前記第１の画素群からなる領域を１画素分外側に拡張した領域である第２の画素群を選択的に駆動することで該駆動した前記画素電極と前記対向電極間に生じた電位差により前記第２の画素群に属する前記画素を前記第１の階調に移行させる第２の消去動作と、を実行することを特徴とする。
【００２４】
この電気光学装置の制御回路によれば、第１の階調以外の階調で表示された第１の画素群のみを選択的に駆動する第１の消去動作に加えて、第１の画素群からなる領域の輪郭のやや外側まで含んだ部分を再度消去する第２の消去動作を実行するので、第１の画素群からなる領域の選択消去によって生じる残像を確実に消去することができる。したがって、残像が低減された高品質の表示を得ることができる。
【００２５】
前記表示部に転送する画像信号を生成する画像信号生成回路を備えており、前記画像信号生成回路は、前記第１の消去動作で用いる画像信号を生成する第１の画像処理回路と、前記第２の消去動作で用いる画像信号を生成する第２の画像処理回路とを有し、前記第１の画像処理回路は、前記表示部に表示されている画像に対応する画像データを反転出力する回路を有しており、前記第２の画像処理回路は、前記画像データのうち処理対象の画素データと、処理対象の前記画素データに隣り合う複数の画素データとを保持する画素データ保持部と、前記画素データ保持部から複数の前記画素データの入力を受け、複数の前記画素データのうち１つでも前記第１の階調以外の第２の階調に対応する値であるときに処理対象の前記画素データを前記第２の階調に対応する値に変更して出力する膨張処理回路と、前記膨張処理回路の出力信号を反転出力する回路と、を有する構成としてもよい。
【００２６】
本発明の電子機器は、先に記載の電気光学装置を備えたことを特徴とする。
この構成によれば、表示品質に優れた表示手段を備えた電子機器を提供することができる。
【図面の簡単な説明】
【００２７】
【図１】第１実施形態に係る電気光学装置の機能ブロック図。
【図２】電気光学パネルの回路構成を示す図。
【図３】電気泳動素子の動作説明図。
【図４】画像信号生成部の詳細な構成を示す機能ブロック図。
【図５】膨張処理回路及び収縮処理回路で用いる演算式の一例を示す図。
【図６】画像信号生成部において生成される画像を示す説明図。
【図７】第１実施形態に係る電気光学装置の駆動方法を示すフローチャート。
【図８】表示部の遷移の様子を画像データとともに示した説明図。
【図９】第２実施形態に係る電気光学装置の駆動方法を示すフローチャート。
【図１０】表示部の遷移の様子を画像データとともに示した説明図。
【図１１】電子機器の一例を示す図。
【図１２】電子機器の一例を示す図。
【図１３】電子機器の一例を示す図。
【発明を実施するための形態】
【００２８】
以下、図面を用いて本発明の電気光学装置について説明する。
なお、本発明の範囲は、以下の実施の形態に限定されるものではなく、本発明の技術的思想の範囲内で任意に変更可能である。また、以下の図面においては、各構成をわかりやすくするために縮尺や数等を異ならせる場合がある。
【００２９】
（第１の実施形態）
図１は、本発明の第１の実施形態に係る電気光学装置の機能ブロック図である。図２は、電気光学パネルの回路構成を示す図である。図３は、電気泳動素子の動作説明図である。
【００３０】
電気光学装置１００は、図１に示すように、ＣＰＵ（Central Processing Unit；制御部）１０２、表示部制御装置１１０、記憶装置１１１、電気光学パネル１１２、プログラムメモリ１１３、ワークメモリ１１４、ＶＹ電源１６１、ＶＸ電源１６２、及び共通電源１６３を備えている。
【００３１】
ＣＰＵ１０２に、表示部制御装置１１０と、プログラムメモリ１１３と、ワークメモリ１１４とが接続されている。表示部制御装置１１０には、記憶装置１１１と、電気光学パネル１１２と、共通電源１６３とが接続されている。電気光学パネル１１２には、ＶＹ電源１６１と、ＶＸ電源１６２と、共通電源１６３とが接続されている。
【００３２】
ＣＰＵ１０２は、プログラムメモリ１１３に格納された基本制御プログラムやアプリケーションプログラム等の各種プログラム及びデータを読み込み、それら各種プログラム及びデータをワークメモリ１１４内に設けられるワークエリアに展開実行して、電気光学装置１００が備える各部の制御を実行する。
例えば、図示略の上位装置から供給される画像データを電気光学パネル１１２に表示させる場合に、ＣＰＵ１０２は、上位装置から入力される制御信号に基づいて電気光学パネル１１２を制御する命令を生成し、画像データとともに表示部制御装置１１０に出力する。
【００３３】
プログラムメモリ１１３は各種プログラムを保持したＲＯＭ（Read Only Memory）等であり、ワークメモリ１１４はＣＰＵ１０２の作業領域を構成するＲＡＭ（Random Access Memory）である。プログラムメモリ１１３及びワークメモリ１１４は、記憶装置１１１に含まれていてもよい。あるいは、ＣＰＵ１０２にプログラムメモリ１１３やワークメモリ１１４が内蔵されている構成としてもよい。
【００３４】
表示部制御装置１１０（制御部、制御回路）は、全体制御部１４０と、画像データ書込制御部１４１と、タイミング信号生成部１４２と、共通電源制御部１４３と、記憶装置制御部１４４と、画像データ読出制御部１４５と、画像信号生成部１４６と、選択信号生成部１４７とを有する。
全体制御部１４０には、画像データ書込制御部１４１と、タイミング信号生成部１４２と、共通電源制御部１４３とが接続されている。画像データ書込制御部１４１には記憶装置制御部１４４が接続されている。タイミング信号生成部１４２には画像データ読出制御部１４５と画像信号生成部１４６と選択信号生成部１４７とが接続されている。共通電源制御部１４３には共通電源１６３が接続されている。
表示部制御装置１１０は、全体制御部１４０においてＣＰＵ１０２と接続され、画像信号生成部１４６及び選択信号生成部１４７において電気光学パネル１１２と接続され、記憶装置制御部１４４において記憶装置１１１と接続されている。
【００３５】
記憶装置１１１は、いずれもＲＡＭからなる前画像保持部１２０と次画像保持部１２１とを備えている。前画像保持部１２０は電気光学パネル１１２に表示させた後の画像データ（現在表示されている画像に対応する画像データ）を保持する記憶領域であり、次画像保持部１２１は電気光学パネル１１２にこれから表示させる画像データ（更新画像に対応する画像データ）を保持する記憶領域である。
前画像保持部１２０及び次画像保持部１２１はいずれも表示部制御装置１１０の記憶装置制御部１４４と接続されており、表示部制御装置１１０は、記憶装置制御部１４４を介して記憶装置１１１に対する画像データの読み書きを実行する。
【００３６】
電気光学パネル１１２は、電気泳動素子やコレステリック液晶素子などの記憶性表示素子を備えた表示部１５０と、表示部１５０に接続された走査線駆動回路１５１及びデータ線駆動回路１５２と、を備えている。表示部１５０には共通電源１６３が接続されている。走査線駆動回路１５１には、ＶＹ電源１６１と、表示部制御装置１１０の選択信号生成部１４７とが接続されている。データ線駆動回路１５２には、ＶＸ電源１６２と、表示部制御装置１１０の画像信号生成部１４６が接続されている。
【００３７】
図２に示すように、電気光学パネル１１２の表示部１５０には、図示のＸ軸方向に延在する複数の走査線Ｇ（Ｇ１、Ｇ２、…、Ｇｍ）と、Ｙ軸方向（Ｘ軸と直交する方向）に延在する複数のデータ線Ｓ（Ｓ１、Ｓ２、…、Ｓｎ）とが形成されている。走査線Ｇとデータ線Ｓとの交差部に対応して画素１０が形成されている。画素１０は、Ｙ軸方向に沿ってｍ個、Ｘ軸方向に沿ってｎ個のマトリクス状に配列されており、各々の画素１０に走査線Ｇとデータ線Ｓとが接続されている。また表示部１５０には、共通電源１６３から延びる共通電極配線ＣＯＭと容量線Ｃとが形成されている。
【００３８】
画素１０には、画素スイッチング素子としての選択トランジスタ２１と、保持容量２２と、画素電極２４と、共通電極２５と、電気光学物質層２６とが形成されている。
選択トランジスタ２１はＮ−ＭＯＳ（Negative-channel Metal Oxide Semiconductor）ＴＦＴで構成されている。選択トランジスタ２１のゲートに走査線Ｇが接続され、ソースにデータ線Ｓが接続され、ドレインには保持容量２２の一方の電極と画素電極２４とが接続されている。
【００３９】
保持容量２２は、誘電体膜を介して対向配置された一対の電極からなる。保持容量２２の一方の電極は選択トランジスタ２１のドレインに接続され、他方の電極は容量線Ｃに接続されている。保持容量２２によって選択トランジスタ２１を介して書き込まれた画像信号を一定期間だけ維持することができる。
【００４０】
電気光学物質層２６は、電気泳動素子やコレステリック液晶素子、電子粉粒素子などからなる。例えば電気泳動素子としては、電気泳動粒子と分散媒とが封入されたマイクロカプセルを配列したものや、隔壁と基板により区画された空間に電気泳動粒子と分散媒とを封入したものが挙げられる。
【００４１】
走査線駆動回路１５１は、表示部１５０に形成された走査線Ｇと接続されており、各々の走査線Ｇを介してそれぞれ対応する行の画素１０に接続されている。走査線駆動回路１５１は、図１に示したタイミング信号生成部１４２から選択信号生成部１４７を介して供給されるタイミング信号に基づいて、走査線Ｇ１、Ｇ２、…、Ｇｍの各々に選択信号をパルス状に順次供給し、走査線Ｇの一本一本を逐次的に選択状態にする。選択状態とは、走査線Ｇに接続される選択トランジスタ２１がオンしている状態である。
【００４２】
データ線駆動回路１５２は、表示部１５０に形成されたデータ線Ｓと接続されており、各々のデータ線Ｓを介してそれぞれ対応する列の画素１０に接続されている。データ線駆動回路１５２は、タイミング信号生成部１４２から画像信号生成部１４６を介して供給されるタイミング信号に基づいて、データ線Ｓ１、Ｓ２、…、Ｓｎに画像信号生成部１４６で生成された画像信号を供給する。
【００４３】
なお、後述する動作説明では、画像信号はハイレベル電位ＶＨ（例えば１５Ｖ）又はローレベル電位ＶＬ（例えば０Ｖや−１５Ｖ）の２値的な電位をとるものとしている。また本実施形態では、黒色（第１の表示状態）が表示されるべき画素１０に対して画素データ「１」に対応するハイレベルの画像信号（電位ＶＨ）が供給され、白色（第２の表示状態）が表示されるべき画素１０に対して画素データ「０」に対応するローレベルの画像信号（電位ＶＬ）が供給されるものとする。
【００４４】
また、共通電極２５には、共通電源１６３から電位Ｖcomが供給され、容量線Ｃには、共通電源１６３から電位Ｖｓｓが供給される。
ただし後述する動作説明では、説明の簡単のために、共通電極２５の電位Ｖcomは、ローレベル電位ＶＬ（例えば０Ｖや−１５Ｖ）、又はハイレベル電位ＶＨ（例えば１５Ｖ）の２値的な電位をとるものとする。また容量線Ｃの電位Ｖｓｓは、基準電位ＧＮＤ（例えば０Ｖ）に固定されているものとする。
【００４５】
上述したように、本実施形態の電気光学物質層２６には種々の構成を適用することができるが、以下の説明では、発明を理解しやすくするために電気光学物質層２６が電気泳動素子であるとして説明する。図３は電気泳動素子の動作説明図であり、図３（ａ）は画素を白表示する場合、図３（ｂ）は画素を黒表示する場合をそれぞれ示している。
【００４６】
図３（ａ）に示す白表示の場合には、共通電極２５が相対的に高電位、画素電極２４が相対的に低電位に保持される。これにより、負に帯電した白色粒子２７が共通電極２５に引き寄せられる一方、正に帯電した黒色粒子２８が画素電極２４に引き寄せられる。その結果、表示面側となる共通電極２５側からこの画素を見ると、白色（Ｗ）が認識される。
図３（ｂ）に示す黒表示の場合、共通電極２５が相対的に低電位、画素電極２４が相対的に高電位に保持される。これにより、正に帯電した黒色粒子２８が共通電極２５に引き寄せられる一方、負に帯電した白色粒子２７が画素電極２４に引き寄せられる。その結果、共通電極２５側からこの画素を見ると黒色（Ｂ）が認識される。
【００４７】
なお、本実施形態では走査線駆動回路１５１とデータ線駆動回路１５２とを備えたアクティブマトリクス方式の電気光学パネル１１２を示したが、電気光学パネル１１２としては、パッシブマトリクス方式やセグメント駆動方式の電気光学パネルであってもよい。また、他のアクティブマトリクス方式を採用してもよい。例えば、画素毎に選択トランジスタと駆動トランジスタと保持容量とを備え、選択トランジスタのドレイン及び保持容量の一方の電極が駆動トランジスタのゲートに接続されている２Ｔ１Ｃ（２トランジスタ１キャパシタ）方式を採用してもよい。あるいは、画素毎に、選択トランジスタのドレインに接続されたラッチ回路を備えたＳＲＡＭ方式を採用してもよく、ラッチ回路の出力により画素電極と制御線との接続を制御する方式であってもよい。いずれの方式においても、走査線により選択トランジスタが選択された際に、データ線からの画像信号が選択トランジスタを介して画素回路内に供給され、画素電極は、当該画像信号に応じた電位となる。
これらの方式であっても、表示部１５０の一部の画素１０を選択的に駆動することができ、後述する駆動方法を適用して画像表示を行うことができる。
【００４８】
次に、図４は、図１に示した画像信号生成部１４６（画像信号生成回路）の詳細な構成を示す機能ブロック図である。
画像信号生成部１４６は、１ライン遅延回路１８１、１８２と、画素データ保持部１８３と、膨張処理回路１８４と、収縮処理回路１８５と、インバータ回路（ＮＯＴ回路）１８６、１８７と、ＮＸＯＲ回路１８８と、選択回路１８９（セレクタ）と、を備えている。
【００４９】
画像信号生成部１４６には、画像データ読出制御部１４５から「次画像画素データ」と「前画像画素データ」が入力される。「次画像画素データ」は、図１に示した次画像保持部１２１に保持された画像データ（次画像データ）を構成する画素データである。「前画像画素データ」は、前画像保持部１２０に保持された画像データ（前画像データ）を構成する画素データである。
画像データ読出制御部１４５は、記憶装置制御部１４４を介して次画像保持部１２１から次画像データを読み出すとともに、前画像保持部１２０から前画像データを読み出す。そして、これら次画像データと前画像データの対応する画素データ（同一アドレスの画素データ）を、それぞれ端子Ｔ１、Ｔ２に対して逐次的に供給する。
【００５０】
「次画像画素データ」が供給される端子Ｔ１には、配線１７１が接続されている。配線１７１は、選択回路１８９の入力端子の１つに接続されている。選択回路１８９は、４入力１出力のセレクタであり、２ビットの制御信号の入力により４つの入力信号から１つを選択してデータ線駆動回路１５２に出力する。
【００５１】
一方、「前画像画素データ」が供給される端子Ｔ２は、３本の配線１７２〜１７４と接続されている。配線１７２は、ＮＯＴ回路１８６の入力端子と接続されており、ＮＯＴ回路１８６の出力端子は選択回路１８９の入力端子の１つに接続されている。配線１７３は、画素データ保持部１８３（データ保持回路１９０のＤ入力）と接続されている。配線１７４は、１ライン遅延回路１８１の入力端子と接続されている。
【００５２】
画素データ保持部１８３は、３行３列のマトリクス状に配置された９個のデータ保持回路１９０〜１９８を備えている。各々のデータ保持回路１９０〜１９８は、本実施形態ではＤフリップフロップである。画素データ保持部１８３において、第１列に属するデータ保持回路１９０、１９３、１９６のＤ入力が入力端子（３入力）であり、９個のデータ保持回路１９０〜１９８のそれぞれのＱ出力が出力端子（９出力）である。
データ保持回路１９０〜１９８はＤフリップフロップに限定されず、画素データを一時的に保持できる他の回路を用いてもよい。
【００５３】
１ライン遅延回路１８１、１８２は、入力端子を介して供給された画素データを、所定期間（走査線Ｇの選択周期）だけ保持した後、出力端子から出力する回路である。
配線１７４を入力端子に接続された１ライン遅延回路１８１の出力端子は、配線１７５を介して画素データ保持部１８３（データ保持回路１９３のＤ入力）、及び１ライン遅延回路１８２の入力端子に接続されている。さらに、１ライン遅延回路１８２の出力端子は、配線１７６を介して画素データ保持部１８３（データ保持回路１９６のＤ入力）に接続されている。
したがって、１ライン遅延回路１８２には、１ライン遅延回路１８１により１ライン分タイミングを遅らされた画素データが入力され、１ライン遅延回路１８２によりさらに１ライン分タイミングを遅らされて出力されることになる。
【００５４】
具体的な動作は以下のようになる。
端子Ｔ２に入力された「前画像画素データ」は、まず、所定のタイミングで、配線１７３を介して画素データ保持部１８３のデータ保持回路１９０に直接入力されるとともに、１ライン遅延回路１８１に入力され保持される。その後、走査線Ｇの選択周期に相当する期間が経過したタイミングで、１ライン遅延回路１８１から配線１７５を介して画素データ保持部１８３のデータ保持回路１９３に入力されるとともに、１ライン遅延回路１８２に入力され保持される。さらにその後、走査線Ｇの選択周期に相当する期間が経過したタイミングで、１ライン遅延回路１８２から配線１７６を介して画素データ保持部１８３のデータ保持回路１９６に入力される。これにより、画素データ保持部１８３の３つの入力端子に、前画像データの同一列に属する連続した３画素のデータが同時に入力される。
【００５５】
画素データ保持部１８３の各行のデータ保持回路は、行内で直列に接続されている。すなわち、第１列のデータ保持回路１９０のＱ出力と第２列のデータ保持回路１９１のＤ入力とが接続され、第２列のデータ保持回路１９１のＱ出力と第３列のデータ保持回路１９２のＤ入力とが接続されている。同様に、データ保持回路１９３のＱ出力とデータ保持回路１９４のＤ入力とが接続され、データ保持回路１９４のＱ出力とデータ保持回路１９５のＤ入力とが接続されている。またデータ保持回路１９６のＱ出力とデータ保持回路１９７のＤ入力とが接続され、データ保持回路１９７のＱ出力とデータ保持回路１９８のＤ入力とが接続されている。
【００５６】
上記の構成により、データ保持回路１９０、１９３、１９６に入力された画素データは、次のクロックに同期して１段後のデータ保持回路１９１、１９４、１９７に転送され、その次のクロックに同期して、さらに１段後のデータ保持回路１９２、１９５、１９８に転送される。このようにして、画素データ保持部１８３には、前画像データ中の３×３のマトリクス状に配置された９画素に対応する画素データが順次保持される。
【００５７】
画素データ保持部１８３に保持された９個の画素データは、画素データ保持部１８３の出力端子（９個のデータ保持回路１９０〜１９６のＱ出力）に接続された膨張処理回路１８４及び収縮処理回路１８５に出力される。
膨張処理回路１８４は、画素データ保持部１８３から出力される９個の画素データの入力を受け、これらの画素データを用いた論理和演算の結果を出力する回路である。
収縮処理回路１８５は、画素データ保持部１８３から出力される９個の画素データの入力を受け、これらの画素データを用いた論理積演算の結果を出力する回路である。
【００５８】
ここで図５は、膨張処理回路１８４及び収縮処理回路１８５で用いる演算式の一例を示す図である。図５に示す画素データＰ０〜Ｐ８は、データ保持回路１９０〜１９８の保持データに対応する。
膨張処理回路１８４及び収縮処理回路１８５は、中央の画素データＰ４（データ保持回路１９４の保持データ）を処理対象の画素データとし、その周囲の画素データＰ１、Ｐ３、Ｐ５、Ｐ７と、図５（ａ）及び図５（ｂ）に例示する演算式とを用いて演算を行う。
【００５９】
図５（ａ）に示す膨張処理では、処理対象の画素データＰ４として、画素データＰ４とそれに隣り合う画素データＰ１、Ｐ３、Ｐ５、Ｐ７の論理和（ＯＲ）の演算結果が出力される。すなわち、Ｐ１、Ｐ３、Ｐ４、Ｐ５、Ｐ７のうち１つでも「１」（黒表示に対応する画像データ）であれば、画素データＰ４として「１」が出力され、それ以外の場合には画素データＰ４として「０」が出力される。
この処理によれば、元が白表示である画素のうち、黒表示の画像成分と隣り合って配置された画素の画素データが、「０」から「１」に変更される。したがって、１フレーム分の画像データを膨張処理回路１８４に通すことで、元画像データに対して黒表示の画像成分の輪郭が外側に膨張された画像データを得ることができる。
【００６０】
図５（ｂ）に示す収縮処理では、処理対象の画素データＰ４として、画素データＰ４とそれに隣り合う画素データＰ１、Ｐ３、Ｐ５、Ｐ７の論理積（ＡＮＤ）の演算結果が出力される。すなわち、Ｐ１、Ｐ３、Ｐ４、Ｐ５、Ｐ７のうち１つでも「０」（白表示に対応する画像データ）であれば、画素データＰ４として「０」が出力され、それ以外の場合には「１」が出力される。
この処理によれば、黒表示の画像成分の輪郭に位置する画素の画素データが、「１」から「０」に変更される。したがって、１フレーム分の画像データを収縮処理回路１８５に通すことで、元画像データに対して黒表示の画像成分の輪郭が内側に収縮された画像データを得ることができる。
【００６１】
なお、上記説明では、画素データＰ４の上下左右に隣り合う画素データＰ１、Ｐ３、Ｐ５、Ｐ７を用いることとしたが、これらに加えて、画素データＰ４と斜め方向で隣り合う画素データＰ０、Ｐ２、Ｐ６、Ｐ８を演算式に加えてもよい。この場合には、膨張処理回路１８４は、処理対象の画素データＰ４を取り囲む８つの画素データＰ０〜Ｐ３、Ｐ５〜Ｐ８のいずれか１つでも「１」（黒表示）であれば、処理対象の画素データＰ４として「１」を出力し、それ以外の場合には「０」を出力する。また、収縮処理回路１８５は、処理対象の画素データＰ４を取り囲む８つの画素データＰ０〜Ｐ３、Ｐ５〜Ｐ８のいずれか１つでも「０」（白表示）であれば、処理対象の画素データＰ４として「０」を出力し、それ以外の場合には「１」を出力する。
【００６２】
あるいは、処理対象の画素データＰ４の上下左右に配置された画素データＰ１、Ｐ３、Ｐ５、Ｐ７に代えて、斜め方向に配置された画素データＰ０、Ｐ２、Ｐ６、Ｐ８のみを用いて演算を行ってもよい。また場合によっては、処理対象の画素データＰ４に対して特定の方向に配置された画素データを用いて演算を行ってもよい。例えば、画素データＰ４の左右に配置された画素データＰ３、Ｐ５のみを用いて演算を行ってもよく、上下に配置された画素データＰ１、Ｐ７のみを用いて演算を行ってもよい。
【００６３】
膨張処理回路１８４の出力端子は、ＮＯＴ回路１８７の入力端子に接続され、ＮＯＴ回路１８７の出力端子は選択回路１８９の入力端子の１つに接続されている。また、膨張処理回路１８４の出力端子と収縮処理回路１８５の出力端子とが、ＮＸＯＲ回路１８８の入力端子に接続されており、ＮＸＯＲ回路１８８の出力端子は選択回路１８９の入力端子の１つに接続されている。
【００６４】
ここで図６は、画像信号生成部１４６において生成される画像を示す説明図である。
まず、図６（ａ）に示す中央に黒色の正方形が描かれた画像は、直前に電気光学パネル１１２に表示された前画像データを例示したものである。図６（ａ）に示す前画像データを構成する画素データが逐次的に画像信号生成部１４６の端子Ｔ２に供給される。
【００６５】
図６（ｂ）は、選択回路１８９において入力２（ＮＯＴ回路１８６と接続された端子）が選択された場合に生成される画像である。端子Ｔ２を介して供給された画素データは、ＮＯＴ回路１８６により反転されて選択回路１８９に入力される。その結果、選択回路１８９から出力される画像信号により形成される画像は、図６（ｂ）に示す黒色の背景の中央に白色の正方形が描かれた反転画像となる。
【００６６】
図６（ｃ）は、膨張処理回路１８４から出力される画像である。このように、膨張処理回路１８４を通すことで、図６（ａ）の黒色の正方形を各辺から１画素分外側に拡張した画像が得られる。なお、選択回路１８９において入力３（ＮＯＴ回路１８７と接続された端子）が選択された場合に選択回路１８９から出力される画像は、図６（ｃ）に示す画像の反転画像である。
図６（ｄ）は、収縮処理回路１８５から出力される画像である。このように、収縮処理回路１８５を通すことで、図６（ａ）の黒色の正方形を各辺から１画素分内側に縮小した画像が得られる。
【００６７】
選択回路１８９において入力４（ＮＸＯＲ回路と接続された端子）が選択された場合に選択回路１８９から出力される画像は、図６（ｃ）に示す膨張画像と図６（ｄ）に示す収縮画像との否定排他的論理和（ＮＸＯＲ）である。
図４において、ＮＸＯＲ回路１８８には、膨張処理回路１８４の出力（図６（ｃ）の膨張画像）と、収縮処理回路１８５の出力（図６（ｄ）の収縮画像）とが入力される。ＮＸＯＲ回路１８８内では、膨張画像と収縮画像の排他的論理和（ＸＯＲ）を演算し（図６（ｅ））、演算結果を反転させる。これにより、図６（ｆ）に示すように、黒色の背景に白色の枠が描かれた画像が得られる。図６（ｆ）に示す画像は、図６（ａ）に示した前画像データの黒色の画像成分の境界（図６（ｆ）に点線で示す）を挟んだ２画素を選択的に白色表示とし、それ以外を黒色表示とした画像である。
【００６８】
［駆動方法］
次に、電気光学装置１００の駆動方法について、図７及び図８を参照しつつ説明する。
図７は、第１実施形態の駆動方法を示すフローチャートであり、図８は、電気光学パネルの表示部の遷移の様子を、図７の各ステップで用いる画像データとともに示した説明図である。
【００６９】
図７に示すフローチャートは、電気光学装置１００の表示画像を更新する際の一連のフローを示したものであり、第１の消去ステップＳ１０１と、第２の消去ステップＳ１０２と、画像表示ステップＳ１０３とを含む。図８（ｂ）〜（ｄ）の上段は、ステップＳ１０１〜Ｓ１０３の実行結果に対応する表示部１５０の表示状態を示す図であり、図８（ｂ）〜（ｄ）の下段は、ステップＳ１０１〜Ｓ１０３で用いる画像データＤ１〜Ｄ３を示す図である。
【００７０】
本実施形態の駆動方法では、第１の消去ステップＳ１０１及び第２の消去ステップＳ１０２を実行することで、図８（ａ）に示す状態の表示部１５０から黒色（第２の階調）の矩形の画像を消去して全面を白色（第１の階調）の表示とする。すなわち、表示部１５０において白色の単一階調表示がなされた状態とする。その後、画像表示ステップＳ１０３を実行することで、図８（ｄ）に示す黒色の帯状の画像を表示部１５０に表示させる。
【００７１】
本実施形態の駆動方法により電気光学パネル１１２の表示を更新する場合に、まず、ＣＰＵ１０２は、表示部制御装置１１０に対して、次に表示させる画像データ（次画像データ）を含むパネル駆動要求を送信する。
パネル駆動要求を受信した表示部制御装置１１０の全体制御部１４０は、受信した次画像データ（図８（ｄ）に示す画像データＤ４）を画像データ書込制御部１４１に出力する。画像データ書込制御部１４１は、受信した画像データを、記憶装置制御部１４４を介して記憶装置１１１の次画像保持部１２１に記憶させる。このとき、前画像保持部１２０には、図８（ａ）に対応する画像データＤ０が保持されている。その後、全体制御部１４０によって、予め設定された駆動シーケンスであるステップＳ１０１〜Ｓ１０３が順次実行される。
【００７２】
まず、全体制御部１４０は、パネル駆動要求に基づいて、第１の消去ステップＳ１０１を実行するための命令を、タイミング信号生成部１４２及び共通電源制御部１４３に出力する。
第１の消去ステップＳ１０１では、前画像の反転消去動作が３フレームにわたって実行される。より詳しくは、電気光学パネル１１２の表示部１５０に対して前画像の反転画像を表示させる動作が、３回繰り返して実行される。
【００７３】
タイミング信号生成部１４２は、画像データ読出制御部１４５に対して、第１の消去ステップＳ１０１で用いる前画像データを記憶装置１１１の前画像保持部１２０から読み出させる命令を出力する。画像データ読出制御部１４５は、記憶装置制御部１４４を介して前画像保持部１２０から前画像データを取得し、取得した前画像データを１画素分ずつ画像信号生成部１４６に出力する。
【００７４】
画像信号生成部１４６は、タイミング信号生成部１４２を介して入力された制御信号により、反転画像を出力するモードに設定される。すなわち、選択回路１８９の制御端子ＳＳに対して、入力２（ＮＯＴ回路１８６と接続された端子）を選択する制御信号が入力される。これにより、画像データ読出制御部１４５から端子Ｔ２を介して画像信号生成部１４６に入力された画素データは、ＮＯＴ回路１８６により反転された後、選択回路１８９からデータ線駆動回路１５２に出力される。
上記のように本実施形態では、第１の消去ステップＳ１０１で用いられる画像データを生成する第１の画像処理回路は、図４に示すＮＯＴ回路１８６である。
【００７５】
上記の動作により、選択回路１８９から、画像データＤ０を反転させた画像データＤ１に対応する画像信号が出力される。画像信号生成部１４６は、上記の画像信号をタイミング信号とともにデータ線駆動回路１５２に出力する。
本実施形態に係る第１の消去ステップＳ１０１では、表示部１５０を構成する画素１０のうち、図８（ａ）に示す領域Ｒ１（第１の画素群）に属する画素１０のみを白表示動作させて画像を消去する。そのため、図８（ｂ）に示す画像データＤ１のうち、領域Ｂ１（白色で示した画素データ「０」）に対応する画素１０に、画像信号としてローレベル電位ＶＬ（例えば−１５Ｖ）が入力される。一方、黒色で示した画素データ「１」に対応する画素１０には、画像信号として、基準電位ＧＮＤ（例えば０Ｖ）が入力される。
【００７６】
選択信号生成部１４７は、タイミング信号生成部１４２の制御のもと、画像表示に必要な選択信号を生成し、タイミング信号とともに走査線駆動回路１５１に出力する。
共通電源制御部１４３は、共通電源１６３に対して、共通電極２５に基準電位ＧＮＤ（例えば０Ｖ）を供給する命令を出力する。
【００７７】
そして、電気光学パネル１１２では、選択信号を入力された走査線駆動回路１５１と画像信号を入力されたデータ線駆動回路１５２とによって、画素１０の画素電極２４に、前画像の反転画像に基づく画像信号（ローレベル電位ＶＬ又は基準電位ＧＮＤ）が入力される。また、共通電極２５には基準電位ＧＮＤが入力される。
【００７８】
これにより、前画像において黒表示されていた領域Ｒ１に属する画素１０では、画素電極２４がローレベル電位ＶＬとされることで、共通電極２５（基準電位ＧＮＤ）に対して相対的に低電位となるので、電気光学物質層２６（電気泳動素子）が白表示動作する（図３（ａ）参照）。一方、領域Ｒ１以外の画素１０では、画素電極２４に基準電位ＧＮＤが入力され、共通電極２５と同電位となるので、電気光学物質層２６は駆動されない。
【００７９】
さらに本実施形態の第１の消去ステップＳ１０１では、上記した電気光学パネル１１２の反転消去動作が、３回繰り返し実行される。画素１０の保持容量２２の大きさには限界があり、通常は、１回の充電では電気光学物質層２６を十分に応答させるのに十分なエネルギーを蓄えることができない。そこで、同一の画像データＤ１を用いた画素１０への画像信号入力を３回繰り返して実行することで、電気光学物質層２６の駆動時間を長くし、所望のコントラストの表示を得られるようにしている。
本実施形態に係る電気光学パネル１１２では、走査線駆動回路１５１とデータ線駆動回路１５２とにより画素１０への画像信号入力が実行され、全ての走査線Ｇを逐次的に１回選択する期間が１フレーム（１フレーム期間）とされる。したがって、上記の反転消去動作は、３フレームにわたって実行されることになる。
【００８０】
以上の第１の消去ステップＳ１０１により、表示部１５０の領域Ｒ１（第１の画素群）が白表示され、図８（ｂ）に示すように、表示部１５０のほぼ全体が白表示となる。しかし、第１の消去ステップＳ１０１のように黒表示の領域Ｒ１を選択的に白表示に移行させると、領域Ｒ１の輪郭に沿ってグレー色の線（残像Ｒ１ｚ）が残ってしまう。そこで本実施形態の駆動方法では、続く第２の消去ステップＳ１０２により、残像Ｒ１ｚを消去するものとしている。
【００８１】
第２の消去ステップＳ１０２は、上記の残像Ｒ１ｚを消去するステップであり、本実施形態の場合、前画像の輪郭部分を選択的に消去する輪郭消去動作が１回（１フレーム）のみ実行される。
全体制御部１４０は、第２の消去ステップＳ１０２を実行するための命令を、タイミング信号生成部１４２及び共通電源制御部１４３に出力する。
【００８２】
タイミング信号生成部１４２は、画像データ読出制御部１４５に対して、第２の消去ステップＳ１０２で用いる前画像データを記憶装置１１１の前画像保持部１２０から読み出させる命令を出力する。画像データ読出制御部１４５は、記憶装置制御部１４４を介して前画像保持部１２０から前画像データを取得し、取得した前画像データを１画素分ずつ画像信号生成部１４６に出力する。
【００８３】
画像信号生成部１４６は、タイミング信号生成部１４２を介して入力された制御信号により、輪郭画像を出力するモードに設定される。すなわち、選択回路１８９の制御端子ＳＳに対して、入力４（ＮＸＯＲ回路１８８と接続された端子）を選択する制御信号が入力される。
【００８４】
上記の動作により、選択回路１８９から、図８（ｃ）に示す画像データＤ２に対応する画像信号が出力される。画像データＤ２は、先に記載のように、画像データＤ０から生成された膨張画像と収縮画像との差分を反転させた（ＮＸＯＲ）ものであり、画像データＤ０における黒白境界を挟んだ２画素幅の領域Ｂ２において画素データ「０」が配置され、それ以外の領域に画素データ「１」が配置されている。画像信号生成部１４６は、上記の画像信号をタイミング信号とともにデータ線駆動回路１５２に出力する。
上記のように、本実施形態では、第２の消去ステップＳ１０２で用いられる画像データを生成する第２の画像処理回路は、画素データ保持部１８３と、膨張処理回路１８４と、収縮処理回路１８５と、ＮＸＯＲ回路１８８とからなる。
【００８５】
本実施形態に係る第２の消去ステップＳ１０２では、図８（ｃ）に示す画像データＤ２のうち、領域Ｂ２（画素データ「０」）に対応する画素１０に、画像信号としてローレベル電位ＶＬ（例えば−１５Ｖ）が入力される。一方、黒色で示した画素データ「１」に対応する画素１０には、画像信号として基準電位ＧＮＤ（例えば０Ｖ）が入力される。これにより、図８（ｃ）に示す領域Ｒ２（第２の画素群）に属する複数の画素１０を選択的に駆動することができる。
【００８６】
選択信号生成部１４７は、タイミング信号生成部１４２の制御のもと、画像表示に必要な選択信号を生成し、タイミング信号とともに走査線駆動回路１５１に出力する。
共通電源制御部１４３は、共通電源１６３に対して、共通電極２５に基準電位ＧＮＤ（例えば０Ｖ）を供給する命令を出力する。
【００８７】
そして、電気光学パネル１１２では、選択信号を入力された走査線駆動回路１５１と画像信号を入力されたデータ線駆動回路１５２とによって、画素１０の画素電極２４に、画像データＤ２に基づく画像信号（ローレベル電位ＶＬ又は基準電位ＧＮＤ）が入力される。共通電極２５には、基準電位ＧＮＤが入力される。
【００８８】
これにより、残像Ｒ１ｚを含む領域Ｒ２に属する画素１０において、電気光学物質層２６（電気泳動素子）が白表示動作する結果、第１の消去ステップＳ１０１では消去しきれなかった残像Ｒ１ｚが消去され、表示部１５０の全面が均一な白表示状態となる。
【００８９】
上記の第２の消去ステップＳ１０２により表示部１５０の全面が白表示されたならば、画像表示ステップＳ１０３が実行される。
画像表示ステップＳ１０３は、新たな画像（次画像）を表示部１５０に表示させるステップであり、本実施形態の場合、次画像表示動作が３回（３フレーム）繰り返し実行される。
【００９０】
まず、全体制御部１４０は、画像表示ステップＳ１０３を実行するための命令を、タイミング信号生成部１４２及び共通電源制御部１４３に出力する。
タイミング信号生成部１４２は、画像データ読出制御部１４５に対して、画像表示ステップＳ１０３で用いる次画像データを記憶装置１１１の次画像保持部１２１から読み出させる命令を出力する。画像データ読出制御部１４５は、記憶装置制御部１４４を介して次画像保持部１２１から次画像データ（図８（ｄ）に示す画像データＤ３）を取得し、取得した前画像データを１画素分ずつ画像信号生成部１４６に出力する。
【００９１】
画像信号生成部１４６は、タイミング信号生成部１４２を介して入力された制御信号により、次画像を出力するモードに設定される。すなわち、選択回路１８９の制御端子ＳＳに対して、入力１（配線１７１と接続された端子）を選択する制御信号が入力される。
【００９２】
上記の動作により、選択回路１８９から、図８（ｄ）に示す画像データＤ３に対応する画像信号が出力される。画像データＤ３は、白色の背景に上下方向に延びる黒色の帯（領域Ｂ３）が描かれたものである。白色の背景に対応する領域に画素データ「０」が配置され、領域Ｂ３に画素データ「１」が配置されている。画像信号生成部１４６は、上記の画像信号をタイミング信号とともにデータ線駆動回路１５２に出力する。
【００９３】
本実施形態に係る画像表示ステップＳ１０３では、図８（ｄ）に示す画像データＤ３のうち、領域Ｂ３（黒色で示した画素データ「１」）に対応する画素１０には、画像信号として、ハイレベル電位ＶＨ（例えば１５Ｖ）が入力される。一方、それ以外の白色で示した画素データ「０」に対応する画素１０には、画像信号として、基準電位ＧＮＤ（例えば０Ｖ）が入力される。
【００９４】
選択信号生成部１４７は、タイミング信号生成部１４２の制御のもと、画像表示に必要な選択信号を生成し、タイミング信号とともに走査線駆動回路１５１に出力する。
共通電源制御部１４３は、共通電源１６３に対して、共通電極２５に基準電位ＧＮＤ（例えば０Ｖ）を供給する命令を出力する。
【００９５】
そして、電気光学パネル１１２では、選択信号を入力された走査線駆動回路１５１と画像信号を入力されたデータ線駆動回路１５２とによって、画素１０の画素電極２４に、前画像の反転画像に基づく画像信号（ハイレベル電位ＶＨ又は基準電位ＧＮＤ）が入力される。また、共通電極２５には基準電位ＧＮＤが入力される。これにより、表示部１５０の中央部に黒色の帯状の領域Ｒ３が描画される。
【００９６】
画像表示ステップＳ１０３においても、上記した電気光学パネル１１２への次画像表示動作が、３回（３フレーム）繰り返して実行される。これにより、電気光学物質層２６の駆動時間を長くし、所望のコントラストの表示を得ることができる。
以上のステップＳ１０１〜Ｓ１０３により、表示部１５０の表示画像が更新される。
【００９７】
以上に詳細に説明した第１実施形態の電気光学装置１００及びその駆動方法によれば、表示部１５０の黒色の画像成分（領域Ｒ１）のみを選択的に消去する第１の消去ステップＳ１０１の後に、領域Ｒ１の輪郭に対応する部分のみを再度消去する第２の消去ステップＳ１０２を設けたことで、領域Ｒ１の選択消去によって生じる残像Ｒ１ｚを確実に消去することができる。したがって、本実施形態の電気光学装置１００によれば、残像が低減された高品質の表示を得ることができる。
【００９８】
また、本実施形態の電気光学装置１００及びその駆動方法では、第１の消去ステップＳ１０１、第２の消去ステップＳ１０２、及び画像表示ステップＳ１０３がそれぞれ独立のステップとして設けられているため、各ステップの実行時間をフレーム単位で調整することができる。特に、第２の消去ステップＳ１０２の実行時間を細かく制御できることにより、残像Ｒ１ｚの消去に必要十分な実行時間（電気光学物質層２６の駆動時間）を設定することができ、確実に残像を消去することができる。
【００９９】
また、本実施形態の電気光学装置１００及びその駆動方法では、第２の消去ステップＳ１０２の実行時間を、第１の消去ステップＳ１０１の実行時間よりも短くしている。これにより、電気光学パネル１１２の信頼性を確保しつつ、残像の確実な消去が可能になる。
図８（ｂ）に示すように、残像Ｒ１ｚが生じる領域の大半は白表示状態であり、残像Ｒ１ｚは薄いグレー色である。第２の消去ステップＳ１０２では、このような領域の画素１０をさらに白表示動作させて残像Ｒ１ｚを消去する。このときに、第１の消去ステップＳ１０１と同様の３フレームの消去動作を実行すると、残像Ｒ１ｚを含む領域が周囲よりも白くなるために残像となってしまう。
また、第２の消去ステップＳ１０２では、黒表示動作させていない画素１０に対して白表示動作を繰り返し実行することになるため、電気光学物質層２６の電流履歴のバランスが崩れ、電気光学物質層２６の寿命を短縮させたり、電気光学パネル１１２の信頼性を低下させるおそれがある。
以上の理由から、第２の消去ステップＳ１０２は、残像Ｒ１ｚを消去できる範囲で可能な限り短時間に設定することが好ましい。そこで本実施形態では、第２の消去ステップＳ１０２を１フレームのみ実行することとし、上記の過書き込みや電流バランスの問題を回避しつつ残像Ｒ１ｚを消去できるようにした。
【０１００】
なお、本実施形態では、第２の消去ステップＳ１０２におけるフレーム数を変更し、電気光学物質層２６の駆動時間を調整することで、電気光学物質層２６への負荷の程度を調整したが、第２の消去ステップＳ１０２において画素１０に入力する画像信号のレベル（印加電圧）により電気光学物質層２６への負荷の程度を調整してもよい。例えば上記実施形態では画素電極２４に−１５Ｖのローレベル電位ＶＬを入力することとしたが、これを−５Ｖに変更するとともに、輪郭消去動作を他のステップと同様に３フレーム実行することとしてもよい。この場合にも、過書き込みや電流バランスの問題を回避しつつ残像Ｒ１ｚを消去することができる。
【０１０１】
また本実施形態では、第２の消去ステップＳ１０２において、前画像の画像データＤ０における領域Ｂ０（第１の画素群からなる領域）の輪郭線を挟んだ２画素幅の枠状の領域Ｂ２（第２の画素群からなる領域）を消去対象の領域としたが、この領域Ｂ２の幅は、２画素幅に限られるものではなく、３画素幅以上であってもよい。領域Ｂ２を拡大させる方向は、図８（ｂ）に示す領域Ｂ１（第１の画素群からなる領域）の内側方向、外側方向のいずれであってもよい。
また、図８（ｃ）に示すように、領域Ｒ１の角部Ａ１に対応する位置に、画素データ「０」が配置されていない構成としてもよく、角部Ａ１に画素データ「０」を配置した構成としてもよい。
また、本実施形態では、第１の消去ステップＳ１０１及び第２の消去ステップＳ１０２において表示部１５０の全体を白色の単一階調表示としたが、表示部１５０の一部を白色の単一階調表示とする態様であっても良い。この場合、表示部１５０の当該一部の範囲内において、第１の消去ステップＳ１０１、第２の消去ステップＳ１０２及び画像表示ステップＳ１０３を行う。
また、本実施形態において、白色と黒色とを入れ替えてもよい。すなわち、黒色を第１の階調とし、白色を第２の階調とし、第１の消去ステップＳ１０１及び第２の消去ステップＳ１０２において表示部１５０の一部又は全部を黒色（第１の階調）とする態様であってもよい。
【０１０２】
（第２の実施形態）
次に、本発明の第２の実施形態について、図９及び図１０を参照して説明する。
図９は、第２実施形態の電気光学装置の駆動方法を示すフローチャートである。図１０は、電気光学パネルの表示部の遷移の様子を、図９の各ステップで用いる画像データとともに示した説明図である。
なお、本実施形態の電気光学装置のハードウェア構成は、第１実施形態の電気光学装置１００と同様であり、以下では電気光学装置１００を用いた駆動方法として説明する。
【０１０３】
図９に示すフローチャートは、電気光学装置１００の表示画像を更新する際の一連のフローを示したものであり、第１の消去ステップＳ２０１と、第２の消去ステップＳ２０２と、画像表示ステップＳ２０３とを含む。図１０（ａ）は表示更新前の表示部１５０の表示状態と、当該表示に用いられた画像データＤ０とを示す図である。図１０（ｂ）〜（ｄ）の上段は、ステップＳ２０１〜Ｓ２０３の実行結果に対応する表示部１５０の表示状態を示す図であり、図１０（ｂ）〜（ｄ）の下段は、ステップＳ２０１〜Ｓ２０３で用いる画像データＤ１、Ｄ２Ａ、Ｄ３を示す図である。
【０１０４】
本実施形態の駆動方法では、第１の消去ステップＳ２０１及び第２の消去ステップＳ２０２を実行することで、図１０（ａ）に示す状態の表示部１５０から黒色（第２の階調）の矩形の画像を消去して全面を白色（第１の階調）の表示とする。その後、画像表示ステップＳ２０３を実行することで、図１０（ｄ）に示す黒色の帯状の画像を表示部１５０に表示させる。
【０１０５】
本実施形態の駆動方法により電気光学パネル１１２の表示を更新する場合に、まず、ＣＰＵ１０２は、表示部制御装置１１０に対して、次に表示させる画像データ（次画像データ）を含むパネル駆動要求を送信する。
パネル駆動要求を受信した表示部制御装置１１０は、受信した次画像データ（図１０（ｄ）に示す画像データＤ４）を記憶装置１１１の次画像保持部１２１に記憶する。その後、全体制御部１４０によって、予め設定された駆動シーケンスであるステップＳ２０１〜Ｓ２０３が順次実行される。
【０１０６】
まず、第１の消去ステップＳ２０１は、画像信号入力のフレーム数以外は、第１実施形態に係る第１の消去ステップＳ１０１と同様である。すなわち、第１の消去ステップＳ２０１では、図１０（ｂ）に示す画像データＤ１を用いた反転消去動作が２フレームにわたって実行される。これにより、表示部１５０のうち黒色（第２の階調）で表示されている領域Ｒ１（第１の画素群）に属する画素１０が選択的に白色（第１の階調）の表示に移行される。
なお、本実施形態において第１の消去ステップＳ２０１で用いられる画像データＤ１を生成する第１の画像処理回路は、図４に示したＮＯＴ回路１８６である。
【０１０７】
上記の第１の消去ステップＳ２０１によれば、表示部１５０をほぼ白表示状態に移行させることができるが、第１実施形態と同様に、図１０（ｂ）に示すように、図１０（ａ）に示す領域Ｒ１の輪郭に沿ってグレー色の線（残像Ｒ１ｚ）が残ってしまう。そこで本実施形態の駆動方法においても、続く第２の消去ステップＳ２０２により、残像Ｒ１ｚを消去している。
【０１０８】
本実施形態の第２の消去ステップＳ２０２では、第１実施形態に係る第２の消去ステップＳ１０２とは異なる画像データＤ２Ａが用いられる。画像データＤ２Ａは、図１０（ｃ）に示すように、図１０（ｂ）に示す画像データＤ１の領域Ｂ１を、各辺から外側に１画素分膨張させた形状の領域Ｂ２Ａを有する。領域Ｂ２Ａには画素データ「０」が配置され、それ以外の領域には画素データ「１」が配置されている。図１０に示す画像データＤ２Ａでは、領域Ｂ２Ａの角部Ａ２に、黒色で示した画素データ「１」が配置されているが、角部Ａ２にも白色で示す画素データ「０」が配置されていてもよい。
上記のように、本実施形態の第２の消去ステップＳ２０２で用いられる画像データＤ２Ａを生成する第２の画像処理回路は、図４に示した画素データ保持部１８３、膨張処理回路１８４、及びＮＯＴ回路１８７からなる。
【０１０９】
第２の消去ステップＳ２０２では、図１０（ｃ）に示す画像データＤ２Ａを用いた拡張消去動作が１フレームのみ実行される。
具体的に、全体制御部１４０は、第２の消去ステップＳ２０２を実行するための命令を、タイミング信号生成部１４２及び共通電源制御部１４３に出力する。
【０１１０】
タイミング信号生成部１４２は、画像データ読出制御部１４５に対して、第２の消去ステップＳ２０２で用いる前画像データを記憶装置１１１の前画像保持部１２０から読み出させる命令を出力する。画像データ読出制御部１４５は、記憶装置制御部１４４を介して前画像保持部１２０から前画像データを取得し、取得した前画像データを１画素分ずつ画像信号生成部１４６に出力する。
【０１１１】
画像信号生成部１４６は、タイミング信号生成部１４２を介して入力された制御信号により、拡張画像を出力するモードに設定される。すなわち、選択回路１８９の制御端子ＳＳに対して、入力３（ＮＯＴ回路１８７と接続された端子）を選択する制御信号が入力される。
【０１１２】
上記の動作により、選択回路１８９から図１０（ｃ）に示す画像データＤ２Ａが出力される。画像信号生成部１４６は、上記の画像信号をタイミング信号とともにデータ線駆動回路１５２に出力する。
【０１１３】
本実施形態に係る第２の消去ステップＳ２０２では、図１０（ｃ）に示す画像データＤ２Ａのうち、領域Ｂ２Ａ（画素データ「０」）に対応する画素１０には、画像信号として、ローレベル電位ＶＬ（例えば−１５Ｖ）が入力される。一方、黒色で示した画素データ「１」に対応する画素１０には、画像信号として、基準電位ＧＮＤ（例えば０Ｖ）が入力される。これにより、表示部１５０において、残像Ｒ１ｚを含むように設定された領域Ｒ２Ａ（第２の画素群）の複数の画素１０を選択的に駆動することができる。
【０１１４】
選択信号生成部１４７は、タイミング信号生成部１４２の制御のもと、画像表示に必要な選択信号を生成し、タイミング信号とともに走査線駆動回路１５１に出力する。
共通電源制御部１４３は、共通電源１６３に対して、共通電極２５に基準電位ＧＮＤ（例えば０Ｖ）を供給する命令を出力する。
【０１１５】
そして、電気光学パネル１１２では、選択信号を入力された走査線駆動回路１５１と画像信号を入力されたデータ線駆動回路１５２とによって、画素１０の画素電極２４に、画像データＤ３に基づく画像信号（ローレベル電位ＶＬ又は基準電位ＧＮＤ）が入力される。共通電極２５には、基準電位ＧＮＤが入力される。
【０１１６】
これにより、残像Ｒ１ｚを含む領域Ｒ２Ａの画素１０において、電気光学物質層２６（電気泳動素子）が白表示動作する結果、第１の消去ステップＳ１０１では消去しきれなかった残像Ｒ１ｚが消去され、表示部１５０の全面が均一な白表示状態となる。
【０１１７】
上記の第２の消去ステップＳ２０２により表示部１５０の全面が白表示されたならば、画像表示ステップＳ２０３が実行される。画像表示ステップＳ２０３は、第１実施形態に係る画像表示ステップＳ１０３と同様であり、次画像表示動作が３回（３フレーム）繰り返し実行される。かかる画像表示ステップＳ２０３により、図１０（ｄ）に示す画像データＤ３に基づく画像信号が画素１０に入力され、図１０（ｄ）に示す次画像が表示部１５０に表示される。
【０１１８】
以上に詳細に説明した第２実施形態の駆動方法においても、表示部１５０の黒色の画像成分（領域Ｒ１）のみを選択的に消去する第１の消去ステップＳ２０１の後に、領域Ｒ１（第１の画素群）とその１画素分外側の領域を含んだ領域（第２の画素群）を再度消去する第２の消去ステップＳ２０２を設けたことで、領域Ｒ１の選択消去によって生じる残像Ｒ１ｚを確実に消去することができる。したがって、本実施形態の駆動方法によれば、残像が低減された高品質の表示を得ることができる。
【０１１９】
なお、第２実施形態の駆動方法では、第１の消去ステップＳ２０１を２フレーム実行する点においても第１実施形態の駆動方法と異なる。これは、第１実施形態では第２の消去ステップＳ１０２において領域Ｒ１の輪郭近傍に対応する部分のみを再消去しているのに対して、第２実施形態では第２の消去ステップＳ２０２において領域Ｒ１に対応する部分も再消去しているためである。つまり、第１の消去ステップＳ２０１を３フレーム実行すると、領域Ｒ１が合計４回繰り返し消去されることになり、過書き込みによる残像が発生したり、電流バランスが崩れることによる電気光学パネル１１２の信頼性低下を招くおそれがあるからである。
【０１２０】
また、第２実施形態の駆動方法の場合には、第１実施形態の駆動方法と比較して全体のフレーム数が少なくなるので、表示速度（消去速度）を向上させることができるとともに、消費電力を削減することができる。
また、第２実施形態の駆動方法のみを実行する場合には、図４に示した収縮処理回路１８５が不要になるので、制御回路（表示部制御装置）の構成を簡素化することができる。
【０１２１】
以上に説明した、第１実施形態及び第２実施形態では、第１の消去ステップＳ１０１、Ｓ２０１を先に行い、後から第２の消去ステップＳ１０２、Ｓ２０２を行うこととしたが、これらに限られるものではない。すなわち、第２の消去ステップＳ１０２、２０２を先に行い、後から第１の消去ステップＳ１０１、Ｓ２０１を行ってもよい。
【０１２２】
また、第１の消去ステップＳ１０１、Ｓ２０１と、第２の消去ステップＳ１０２、Ｓ２０２を交互に複数回実行してもよく、この場合に、各ステップにおけるフレーム数を変更してもよい。
例えば、第１実施形態を変形した駆動方法としては、第１の消去ステップＳ１０１（反転消去動作×１フレーム）、第２の消去ステップＳ１０２（輪郭消去動作×１フレーム）、第１の消去ステップＳ１０１（反転消去動作×１フレーム）、第２の消去ステップＳ１０２（輪郭消去動作×１フレーム）、…のように、１フレーム毎に異なる動作を実行する駆動方法が挙げられる。
また第２実施形態を変形した駆動方法としては、第１の消去ステップＳ２０１（反転消去動作×１フレーム）、第２の消去ステップＳ１０２（拡張消去動作×１フレーム）、第１の消去ステップＳ２０１（反転消去動作×１フレーム）の順に消去を実行する駆動方法が挙げられる。
【０１２３】
また各実施形態の説明では、画像信号が白黒二値であるとして説明したが、中間階調表示を行うこともできるのはもちろんである。例えば、前画像に黒色の画像成分（Ｐｂ）と、白色の画像成分（Ｐｗ）と、中間階調の画像成分（Ｐｍ）が含まれている場合には、第１実施形態に係る第１の消去ステップＳ１０１において、白色以外の画像成分（黒色の画像成分Ｐｂと中間階調の画像成分Ｐｍ）に対応する画素１０を選択的に白表示動作させる。あるいは、中間階調の画像成分Ｐｍに対応する画素１０を選択的に白表示に移行させた後、黒色の画像成分Ｐｂに対応する画素１０を選択的に白表示に移行させる。
上記の第１の消去ステップＳ１０１を実行すると、白色の画像成分Ｐｗとそれ以外の画像成分Ｐｂ、Ｐｍとの境界に残像が発生するため、第２の消去ステップＳ１０２において画像成分Ｐｂ、Ｐｍの輪郭を含むように消去領域を設定すればよい。
【０１２４】
また上記各実施形態では、膨張処理回路１８４において黒色の画像成分の領域を膨張させた画像が生成され、収縮処理回路１８５において黒色の画像成分の領域を収縮させた画像が生成される場合について説明したが、膨張処理回路１８４及び収縮処理回路１８５の処理対象を白色の画像成分としてもよいのはもちろんである。
【０１２５】
また上記各実施形態では、電気光学装置１００に内蔵された画像信号生成部１４６において、第１の消去ステップＳ１０１、Ｓ２０１、及び第２の消去ステップＳ１０２、Ｓ２０２で用いる画像データを生成することとしたが、これらステップで用いる画像データを予めＰＣ等で作製し、プログラムメモリ１１３等に保持しておいてもよい。
【０１２６】
（電子機器）
次に、上記実施形態の電気光学装置を、電子機器に適用した場合について説明する。
図１１は、腕時計１０００の正面図である。腕時計１０００は、時計ケース１００２と、時計ケース１００２に連結された一対のバンド１００３とを備えている。
時計ケース１００２の正面には、上記各実施形態の電気光学装置からなる表示部１００５と、秒針１０２１と、分針１０２２と、時針１０２３とが設けられている。時計ケース１００２の側面には、操作子としての竜頭１０１０と操作ボタン１０１１とが設けられている。竜頭１０１０は、ケース内部に設けられる巻真（図示は省略）に連結されており、巻真と一体となって多段階（例えば２段階）で押し引き自在、かつ、回転自在に設けられている。表示部１００５では、背景となる画像、日付や時間などの文字列、あるいは秒針、分針、時針などを表示することができる。
【０１２７】
図１２は電子ペーパー１１００の構成を示す斜視図である。電子ペーパー１１００は、上記実施形態の電気光学装置を表示領域１１０１に備えている。電子ペーパー１１００は可撓性を有し、従来の紙と同様の質感及び柔軟性を有する書き換え可能なシートからなる本体１１０２を備えて構成されている。
【０１２８】
図１３は、電子ノート１２００の構成を示す斜視図である。電子ノート１２００は、上記の電子ペーパー１１００が複数枚束ねられ、カバー１２０１に挟まれているものである。カバー１２０１は、例えば外部の装置から送られる表示データを入力する図示は省略の表示データ入力手段を備える。これにより、その表示データに応じて、電子ペーパーが束ねられた状態のまま、表示内容の変更や更新を行うことができる。
【０１２９】
以上の腕時計１０００、電子ペーパー１１００、及び電子ノート１２００によれば、本発明に係る電気光学装置が採用されているので、高品質の表示が可能な表示手段を備えた電子機器となる。
なお、上記の電子機器は、本発明に係る電子機器を例示するものであって、本発明の技術範囲を限定するものではない。例えば、携帯電話、携帯用オーディオ機器などの電子機器の表示部にも好適に用いることができる。
【符号の説明】
【０１３０】
１０  画素、２１  選択トランジスタ、２２  保持容量、２４  画素電極、２５  共通電極、２６  電気光学物質層、１００  電気光学装置、１０２  ＣＰＵ、１１０  表示部制御装置（制御部）、１１１  記憶装置、１１２  電気光学パネル、１２０  前画像保持部、１２１  次画像保持部、１４０  全体制御部、１４１  画像データ書込制御部、１４２  タイミング信号生成部、１４３  共通電源制御部、１４４  記憶装置制御部、１４５  画像データ読出制御部、１４６  画像信号生成部（画像信号生成回路）、１４７  選択信号生成部、１５０  表示部、１５１  走査線駆動回路、１５２  データ線駆動回路、１８１，１８２  １ライン遅延回路、Ｒ１  領域（第１の画素群）、Ｒ２，Ｒ２Ａ  領域（第２の画素群）、Ｓ１０１，Ｓ２０１  第１の消去ステップ（第１の消去動作）、Ｓ１０２，Ｓ２０２  第２の消去ステップ（第２の消去動作）、Ｓ１０３，Ｓ２０３  画像表示ステップ
【図１】
0005454246.tif 000002
【図２】
0005454246.tif 000003
【図３】
0005454246.tif 000004
【図４】
0005454246.tif 000005
【図５】
0005454246.tif 000006
【図６】
0005454246.tif 000007
【図７】
0005454246.tif 000008
【図８】
0005454246.tif 000009
【図９】
0005454246.tif 000010
【図１０】
0005454246.tif 000011
【図１１】
0005454246.tif 000012
【図１２】
0005454246.tif 000013
【図１３】
0005454246.tif 000014